(57)【要約】【課題】組付時やサービス時にしか使用しないメカニカルスイッチがデザイン性を損うことがないようにする。【解決手段】赤外線などが透過可能な半透明の乳白色樹脂からなる内張部材１４により封止された受信口１１と発信口１２とを有する蓋部材５により、本体部１の前面部に設けた通信口４を封止し、蓋部材５には内張部材１４の受信口１１に臨む部分を前方に突出してスイッチ被覆部材１６を出没可能に設け、その裏面にスイッチ押圧部１７を設け、通信口５内の基板６に設けた受光素子７・メカニカルスイッチ８・運転状態表示手段９を、蓋部材５の受信口１１・スイッチ押圧部１７・発信口１２それぞれ対峙させて、ワイヤレスリモコン５０から送信する赤外線は受光素子７に到達し、運転状態表示手段９が放射する光は機外に出るように設けると共に、スイッチ被覆部材１６が機外から押圧されると、スイッチ押圧部１７がメカニカルスイッチ８に当接してスイッチを動作させるようにした。【選択図】  図４
2005188833.tif 000002
【特許請求の範囲】
【請求項１】
熱交換器、送風機、制御手段を備えた本体部にワイヤレスリモコンから送信された信号を受信して制御手段に送る受信手段と、押圧力を受けて動作し所用の信号を制御手段に送信するメカニカルスイッチとが設けられた空気調和機の室内機において、受信手段とメカニカルスイッチとを並設すると共に、受信手段とメカニカルスイッチの前方にワイヤレスリモコンからの送信信号が透過可能な素材からなり、没入時に裏面側がメカニカルスイッチに当接してメカニカルスイッチを動作させるスイッチ被覆部材を出没可能に設けたことを特徴とする空気調和機の室内機。
【請求項２】
メカニカルスイッチが制御手段に送信する信号により冷房運転・暖房運転の何れかの指示が可能に設けられ、点灯状態の差異により空気調和機の運転状態を表示する運転状態表示手段が本体部に設けられたことを特徴とする請求項１記載の空気調和機の室内機。
【発明の詳細な説明】
【技術分野】
【０００１】
本発明は、室外に設置される室外機と共同して室内空気の温度調節などに供される空気調和機の室内機に関するものである。
【背景技術】
【０００２】
この種の室内機においては、例えば図５に示したように本体部１の前面部分に受信手段７Ｘと、試運転スイッチ８Ｘとを設け、冷房運転、暖房運転などの通常の運転は、ワイヤレスリモコン５０から送信する信号を受信手段７Ｘで受信し、その受信信号を図示しない制御手段に送信して所要の運転を行い、空気調和機の組付時やサービス時には試運転スイッチ７Ｘの操作により室外機の圧縮機を強制的に起動して、所要の試験運転などが行えるようにした室内機１００Ｘが周知である（例えば、特許文献１参照。）。
【特許文献１】特開昭５８−１９８６３４号
【発明の開示】
【発明が解決しようとする課題】
【０００３】
しかし、特許文献１に提案された空気調和機の室内機においては、組付時やサービス時にしか使用しないスイッチが本体部に露出した状態に設けられていたので、デザイン性に劣ると云った問題点があり、デザイン性を損なわないようにする必要があり、それが解決すべき課題となっていた。
【課題を解決するための手段】
【０００４】
本発明は上記従来技術の課題を解決するため、熱交換器、送風機、制御手段を備えた本体部にワイヤレスリモコンから送信された信号を受信して制御手段に送る受信手段と、押圧力を受けて動作し所用の信号を制御手段に送信するメカニカルスイッチとが設けられた空気調和機の室内機において、受信手段とメカニカルスイッチとを並設すると共に、受信手段とメカニカルスイッチの前方にワイヤレスリモコンからの送信信号が透過可能な素材からなり、没入時に裏面側がメカニカルスイッチに当接してメカニカルスイッチを動作させるスイッチ被覆部材を出没可能に設けことを主要な特徴とするものである。
【発明の効果】
【０００５】
本発明によれば、ワイヤレスリモコンからの送信信号が透過可能な素材により作製されて、出没可能に設けられたスイッチ被覆部材の後方に、ワイヤレスリモコンから送信される冷房運転や暖房運転などの運転指示信号を受信する受信手段と、試運転などするときに押圧して操作するメカニカルスイッチとが隣接して設けられているので、デザイン性を損ねることがなく、しかもスイッチ被覆部材はメカニカルスイッチの操作ボタンと受信手段の保護カバーとを兼ねるので、構成を簡略化することができる。
【発明を実施するための最良の形態】
【０００６】
ワイヤレスリモコンからの送信信号が透過可能な素材により作製して出没可能に設けたスイッチ被覆部材の後方に、ワイヤレスリモコンから送信される冷房運転や暖房運転などの運転指示信号を受信する受信手段と、押圧操作して冷房運転・暖房運転などの運転を直接指示することのできるメカニカルスイッチとを隣接して設け、さらに点灯状態の差異により運転状態を表示する運転状態表示手段を設けた空気調和機の室内機。
【実施例１】
【０００７】
本発明の一実施例を、図１〜図４に基づいて説明する。なお、理解を容易にするため、これらの図においても前記図５において説明した部分と同様の機能を有する部分には、同一の符号を付した。
【０００８】
本発明の室内機１００は、本体部１の空気取入口２から図示しない送風機により機内に取り込んだ空気と、図示しない熱交換器の内部を流れる冷媒とを熱交換させて温度調節などした空気を空気吹出口３から吹き出して室内の温度調節などに供するものである。
【０００９】
本発明の室内機１００においては、非透光性の合成樹脂からなる本体部１の前面部に通信口４が開設され、その通信口４は着脱可能な蓋部材５により封止されている。そして、基板６に設けられた受光素子７と、メカニカルスイッチ８と、運転状態表示手段９とが通信口４に臨んで設置されている。
【００１０】
なお、受光素子７は、図示しない室外機と共同して冷房運転、暖房運転、タイマ運転などを行うために、ワイヤレスリモコン５０から、例えば赤外線により送信される信号を受信し、その受信した信号を本体部１に設けた図示しない制御手段に送信可能に設けられている。
【００１１】
一方、メカニカルスイッチ８は、図示しない室外機と共同して冷房運転、暖房運転、除湿運転などを行うために、所定時間内、例えば５秒以内の押圧回数が１回であると冷房運転、２回のときは暖房運転、３回のときは除湿運転を指示する信号を、本体部１に設けた図示しない制御手段に送信可能に設けられている。
【００１２】
また、運転状態表示手段９は緑色ダイオード９Ａと、緑色ダイオード９Ｂと、赤色ダイオード９Ｃとで構成され、図示しない制御手段が受光素子７またはメカニカルスイッチ８から冷房運転または暖房運転を指示する信号を受信したときは、例えば最上部の緑色ダイオード９Ａに通電して緑色を発光させ、除湿運転を指示する信号を受信したときは、最下部の赤色ダイオード９Ｃに通電して赤色を発光させ、受光素子７がワイヤレスリモコン５０からタイマ運転を指示する信号を受信したときは、中央部にある残余の緑色ダイオード９Ｂに通電して緑色を発光させるように設けられている。
【００１３】
蓋部材５は非透光性の合成樹脂により本体部分が作製され、周縁部に設けた係止爪１０により通信口４を囲繞形成している本体部１に着脱可能に係合されて通信口４を封止している。
【００１４】
また、蓋部材５は、基板６の受光素子７に臨む部位に受信口１１を、運転状態表示手段９に臨む部位に発信口１２を備えており、発信口１２側の本体部内面に熱変形溶着部１３により固着され、赤外線などが透過可能な半透明の乳白色樹脂からなる内張部材１４により、受信口１１と発信口１２とは封止されている。
【００１５】
そのため、ワイヤレスリモコン５０から赤外線により送信する信号は受信口１１に臨む部位の内張部材１４を透過して基板６の受光素子７に到達し、基板６の運転状態表示手段９が放射する光は発信口１２に臨む部位の内張部材１４を透過して機外に出るが、内張部材１４が半透明の乳白色樹脂から形成されているので、受光素子７、メカニカルスイッチ８などは機外から見ることはできない。
【００１６】
また、蓋部材５にはスイッチ被覆部材１６が設けられている。このスイッチ被覆部材１６は、内張部材１４の受信口１１に臨む部分が前方に突出して形成されている。また、スイッチ被覆部材１６は、蓋部材５の熱変形溶着部１３側から受信口１１側に延設された２本の腕部材１５の終端部側から熱変形溶着部１３の側に折り返すように設けられ、その先端側、すなわち熱変形溶着部１３側の裏面にはスイッチ押圧部１７が設けられている。
【００１７】
したがって、蓋部材５のスイッチ被覆部材１６は表側から押圧されると、２本の腕部材１５自体と、腕部材１５とスイッチ被覆部材１６との連結部が弾性変形して基板６の側に撓む。そして、その際に、スイッチ押圧部１７がメカニカルスイッチ８に当接して、メカニカルスイッチ８が押圧操作される寸法に作製されている。
【００１８】
すなわち、本発明の室内機１００においては、スイッチ被覆部材１６を押圧することにより、空気調和機に所望の運転を指示することが可能であり、そのときの運転状態は運転状態表示手段９の発光色で識別することができる。
【００１９】
それ故、空気調和機を組付けるときの試運転時だけでなく、ワイヤレスリモコン５０が故障などしたときにも、所望の冷房運転や暖房運転に供することができる。しかも、試運転時やワイヤレスリモコン５０の故障時など、使用機会の少ないメカニカルスイッチ８は乳白色の内張部材１４により目隠しされているので、目障りになることがない。
【００２０】
なお、本発明は上記実施形態に限定されるものではないので、特許請求の範囲に記載の趣旨から逸脱しない範囲で各種の変形実施が可能である。
【００２１】
例えば、ワイヤレスリモコン５０と受光素子７との間で行う制御信号の送受信は、電波を介して行われるようにしても良い。
【００２２】
また、内張部材１４の色は乳白色以外であっても良い。すなわち、内張部材１４は、ワイヤレスリモコン５０から送信される信号が受光素子７に到達し、運転状態表示手段９が放射する光が透過でき、且つ、受光素子７、メカニカルスイッチ８、運転状態表示手段９が機外から見えなければ良いので、本体部１、蓋部材５の色と調和する適宜の色で半透明なものであれば何色であっても良い。
【００２３】
また、運転状態表示手段９は青色ダイオードと、緑色ダイオードと、赤色ダイオードとで構成し、図示しない制御手段が受光素子７またはメカニカルスイッチ８から冷房運転を指示する信号を受信したときは、例えば青色ダイオードに通電して寒色系の青色を発光させ、暖房運転を指示する信号を受信したときは、例えば赤色ダイオードに通電して暖色系の赤色を発光させ、除湿運転を指示する信号を受信したときは、残余の緑色ダイオードに通電して寒色系の緑色を発光させ、タイマ運転を指示する信号を受信したときは、例えば青色ダイオードと緑色ダイオードに通電して寒色系の青色と緑色の二色を同時に発光させるように構成することなども可能である。
【図面の簡単な説明】
【００２４】
【図１】本発明室内機の説明図である。
【図２】本発明室内機の要部の説明図である。
【図３】本発明室内機の要部の説明図である。
【図４】本発明室内機の要部の説明図である。
【図５】従来技術の説明図である。
【符号の説明】
【００２５】
１  本体部
２  空気取入口
３  空気吹出口
４  通信口
５  蓋部材
６  基板
７  受光素子
８  メカニカルスイッチ
９  運転状態表示手段
９Ａ  緑色ダイオード
９Ｂ  緑色ダイオード
９Ｃ  赤色ダイオード
１０  係止爪
１１  受信口
１２  発信口
１３  熱変形溶着部
１４  内張部材
１５  腕部材
１６  スイッチ被覆部材
１７  スイッチ押圧部
５０  ワイヤレスリモコン
１００、１００Ｘ  室内機
１００  室内機
【図１】
2005188833.tif 000003
【図２】
2005188833.tif 000004
【図３】
2005188833.tif 000005
【図４】
2005188833.tif 000006
【図５】
2005188833.tif 000007